(57)【要約】      （修正有）【課題】屋内にあると位置判定部により最後に判定された指示部を操作して、異常検知部の停止を指示することを防止する警備システムを提供する。【解決手段】屋内の異常を検知できる異常検知部１３０と、異常検知部１３０の稼動および停止を制御できる制御部２１０と、制御部２１０と通信できるとともに制御部２１０に異常検知部１３０の稼動および停止を指示できる指示部と、を備える。指示部は、制御部２１０との通信に基づいて、指示部が屋内および制御部２１０が配された屋内の外側である屋外のいずれにあるかを判定できる位置判定部２４０を有し、指示部が屋内にあると位置判定部２４０が最後に判定した場合、停止している異常検知部１３０を稼動させるよう制御部２１０に指示することができるとともに、第１の条件が満たされる場合は、稼動している異常検知部１３０を停止させるよう制御部２１０に指示することができない。【選択図】図１
2016177549.tif 000002
【特許請求の範囲】
【請求項１】
警備システムであって、
屋内の異常を検知できる異常検知部と、
前記屋内に配され、前記異常検知部の稼動および停止を制御できる制御部と、
前記制御部と通信できるとともに前記制御部に前記異常検知部の稼動および停止を指示できる指示部と、を備え、
前記指示部は、前記制御部との通信に基づいて、前記指示部が前記屋内および前記制御部が配された前記屋内の外側である屋外のいずれにあるかを判定できる位置判定部を有し、
前記指示部が前記屋内にあると前記位置判定部が最後に判定した場合、前記指示部は、停止している前記異常検知部を稼動させるよう前記制御部に指示することができるとともに、第１の条件が満たされる場合は稼動している前記異常検知部を停止させるよう前記制御部に指示することができず、
前記指示部が前記屋外にあると前記位置判定部が最後に判定した場合、前記指示部は、停止している前記異常検知部を稼動させるよう前記制御部に指示することができるとともに、稼動している前記異常検知部を停止させるよう前記制御部に指示することができる、警備システム。
【請求項２】
請求項１に記載の警備システムであって、
前記第１の条件は、前記指示部が停止している前記異常検知部を稼動させるよう前記制御部に指示してからあらかじめ設定された第１の設定時間を経過したことである、警備システム。
【請求項３】
請求項１または請求項２に記載の警備システムであって、さらに、
前記指示部は、前記指示部における振動を検知する振動検知部を有し、
前記指示部が前記屋内にあると前記位置判定部が最後に判定した場合であって、かつ、
前記振動検知部が振動を検知することによって前記指示部は前記制御部へ振動検知信号を出力し、
前記制御部は受信した前記振動検知信号の強さが第１の閾値を超えている場合、前記制御部が前記指示部へ応答信号を出力し、前記位置判定部は前記応答信号を受信することにより前記指示部が前記屋内にあると判定した状態を維持し、
前記制御部は受信した前記振動検知信号の強さが前記第１の閾値を超えていない場合、前記振動検知信号の受信後、あらかじめ設定された第２の設定時間、前記制御部が前記指示部へ前記応答信号を出力せず、前記位置判定部は前記応答信号を前記第２の設定時間受信しないことにより前記指示部が前記屋外にあると判定できる、警備システム。
【請求項４】
請求項３に記載の警備システムであって、
前記指示部が前記屋外にあると前記位置判定部が最後に判定した場合であって、かつ、
前記振動検知部による継続した振動を検知しなくなったことによって前記指示部は前記制御部へ振動停止信号を出力し、
前記制御部は受信した前記振動停止信号の強さが第２の閾値を超えている場合、前記制御部が前記指示部へ前記応答信号を出力し、前記位置判定部は前記応答信号を受信することにより前記指示部が前記屋内にあると判定し、
前記制御部は受信した前記振動停止信号の強さが前記第２の閾値を超えていない場合、前記振動停止信号の受信後、あらかじめ設定された第３の設定時間、前記制御部が前記指示部へ前記応答信号を出力せず、前記位置判定部は前記応答信号を前記第３の設定時間受信しないことにより前記指示部が前記屋外にあると判定した状態を維持できる、警備システム。
【請求項５】
請求項３に記載の警備システムであって、
前記指示部が前記屋外にあると前記位置判定部が最後に判定した場合であって、かつ、
前記振動検知部による継続した振動を検知しなくなったことによって前記指示部は前記制御部へ振動停止信号を出力し、
前記制御部は受信した前記振動停止信号の強さが第２の閾値を超えているとともに前記異常検知部が停止している場合、前記制御部が前記指示部へ前記応答信号を出力し、前記位置判定部は前記応答信号を受信することにより前記指示部が前記屋内にあると判定し、
前記制御部は受信した前記振動停止信号の強さが前記第２の閾値を超えているとともに前記異常検知部が稼動している場合、前記振動停止信号の受信後、あらかじめ設定された第３の設定時間、前記制御部が前記指示部へ前記応答信号を出力せず、前記位置判定部は前記応答信号を前記第３の設定時間受信しないことにより前記指示部が前記屋外にあると判定した状態を維持し、
前記制御部は受信した前記振動停止信号の強さが前記第２の閾値を超えていない場合、前記振動停止信号の受信後、あらかじめ設定された第３の設定時間、前記制御部が前記指示部へ前記応答信号を出力せず、前記位置判定部は前記応答信号を前記第３の設定時間受信しないことにより前記指示部が前記屋外にあると判定した状態を維持できる、警備システム。
【発明の詳細な説明】
【技術分野】
【０００１】
本発明は、警備システムに関する。
【背景技術】
【０００２】
警備システムには、住居等の家屋に設置されることによって屋内への不法な侵入者を検出するものが広く知られている。このような警備システムは、不法な侵入者を警戒する警戒モードと、警戒モードを解除された通常モードとを切り換える。
【先行技術文献】
【特許文献】
【０００３】
【特許文献１】特開２００６−１１９３０号公報
【発明の概要】
【発明が解決しようとする課題】
【０００４】
特許文献１には、ユーザ（住居等の家屋における居住者）の操作に応じて、警戒モードと通常モードの切り換えが可能な警備システムが記載されている。特許文献１のような切り換えをリモコンによって行うことができる態様においては、この警備システムが設置された家屋に同居する居住者が複数であることを考慮して、複数のリモコンを備えたものがある。そのような警備システムでは、例えば、家屋に同居する居住者全員が揃って外出する際にリモコンをひとつだけ持って外出する場合、または、家屋に同居する居住者全員が別々にリモコンを持って外出する場合などに、外出先に持っていかれなかったリモコンが留守になった屋内に残される。そのような場合において、屋内に侵入した侵入者が屋内に残されたリモコンを操作することによって、警戒モードを解除することができるという課題があった。そのため、複数のリモコンを備えた警備システムにおいて、侵入者が屋内に残されたリモコンを操作して警戒モードを解除することを防止できる技術が望まれていた。
【課題を解決するための手段】
【０００５】
本発明は、上述の課題の少なくとも一部を解決するためになされたものであり、以下の形態として実現することが可能である。
【０００６】
（１）本発明の一形態によれば、警備システムが提供される。この警備システムは、屋内の異常を検知できる異常検知部と、前記屋内に配され、前記異常検知部の稼動および停止を制御できる制御部と、前記制御部と通信できるとともに前記制御部に前記異常検知部の稼動および停止を指示できる指示部と、を備え、前記指示部は、前記制御部との通信に基づいて、前記指示部が前記屋内および前記制御部が配された前記屋内の外側である屋外のいずれにあるかを判定できる位置判定部を有し、前記指示部が前記屋内にあると前記位置判定部が最後に判定した場合、前記指示部は、停止している前記異常検知部を稼動させるよう前記制御部に指示することができるとともに、第１の条件が満たされる場合は稼動している前記異常検知部を停止させるよう前記制御部に指示することができず、前記指示部が前記屋外にあると前記位置判定部が最後に判定した場合、前記指示部は、停止している前記異常検知部を稼動させるよう前記制御部に指示することができるとともに、稼動している前記異常検知部を停止させるよう前記制御部に指示することができる。このような態様とすれば、第１の条件が満たされる場合は、屋内にあると位置判定部により最後に判定された指示部を操作して、異常検知部の停止を指示することができない。そのため、侵入者が屋内に残された指示部を操作して異常検知部の停止を指示することを防止できる。また、屋外にあると位置判定部により最後に判定された指示部を操作して、異常検知部の稼動および停止を指示できる。
【０００７】
（２）上記の警備システムにおいて、前記第１の条件は、前記指示部が停止している前記異常検知部を稼動させるよう前記制御部に指示してからあらかじめ設定された第１の設定時間を経過したことであってもよい。このような態様とすれば、指示部が停止している異常検知部を稼動させるよう制御部に指示してから第１の設定時間を経過する前であれば、屋内にあると位置判定部により最後に判定された指示部を用いて、稼動している異常検知部を停止させるよう制御部に指示できる。例えば、警備システムが設置された家屋に住む居住者が外出する際に、位置判定部により屋内にあると判定されたことが成立している指示部を用いて異常検知部の稼動を一旦指示したものの、忘れ物を取りに行く等の事情によりすぐに異常検知部を停止したい場合に、屋内にあると位置判定部により最後に判定された指示部を用いて異常検知部の停止を指示できる。
【０００８】
（３）上記の警備システムにおいて、さらに、前記指示部は、前記指示部における振動を検知する振動検知部を有し、前記指示部が前記屋内にあると前記位置判定部が最後に判定した場合であって、かつ、前記振動検知部が振動を検知することによって前記指示部は前記制御部へ振動検知信号を出力し、前記制御部は受信した前記振動検知信号の強さが第１の閾値を超えている場合、前記制御部が前記指示部へ応答信号を出力し、前記位置判定部は前記応答信号を受信することにより前記指示部が前記屋内にあると判定した状態を維持し、前記制御部は受信した前記振動検知信号の強さが前記第１の閾値を超えていない場合、前記振動検知信号の受信後、あらかじめ設定された第２の設定時間、前記制御部が前記指示部へ前記応答信号を出力せず、前記位置判定部は前記応答信号を前記第２の設定時間受信しないことにより前記指示部が前記屋外にあると判定できてもよい。このような態様とすれば、振動検知部が振動を検知することによって指示部から制御部へ出力された信号の強さに基づいて、位置判定部は、指示部が屋内および屋外のいずれにあるかを判定できる。
【０００９】
（４）上記の警備システムにおいて、前記指示部が前記屋外にあると前記位置判定部が最後に判定した場合であって、かつ、前記振動検知部による継続した振動を検知しなくなったことによって前記指示部は前記制御部へ振動停止信号を出力し、前記制御部は受信した前記振動停止信号の強さが第２の閾値を超えている場合、前記制御部が前記指示部へ前記応答信号を出力し、前記位置判定部は前記応答信号を受信することにより前記指示部が前記屋内にあると判定し、前記制御部は受信した前記振動停止信号の強さが前記第２の閾値を超えていない場合、前記振動停止信号の受信後、あらかじめ設定された第３の設定時間、前記制御部が前記指示部へ前記応答信号を出力せず、前記位置判定部は前記応答信号を前記第３の設定時間受信しないことにより前記指示部が前記屋外にあると判定した状態を維持できてもよい。このような態様とすれば、振動検知部が継続した振動を検知しなくなったことによって指示部から制御部へ出力された信号の強さに基づいて、位置判定部は、指示部が屋内および屋外のいずれにあるかを判定できる。
【００１０】
（５）上記の警備システムにおいて、前記指示部が前記屋外にあると前記位置判定部が最後に判定した場合であって、かつ、前記振動検知部による継続した振動を検知しなくなったことによって前記指示部は前記制御部へ振動停止信号を出力し、前記制御部は受信した前記振動停止信号の強さが第２の閾値を超えているとともに前記異常検知部が停止している場合、前記制御部が前記指示部へ前記応答信号を出力し、前記位置判定部は前記応答信号を受信することにより前記指示部が前記屋内にあると判定し、前記制御部は受信した前記振動停止信号の強さが前記第２の閾値を超えているとともに前記異常検知部が稼動している場合、前記振動停止信号の受信後、あらかじめ設定された第３の設定時間、前記制御部が前記指示部へ前記応答信号を出力せず、前記位置判定部は前記応答信号を前記第３の設定時間受信しないことにより前記指示部が前記屋外にあると判定した状態を維持し、前記制御部は受信した前記振動停止信号の強さが前記第２の閾値を超えていない場合、前記振動停止信号の受信後、あらかじめ設定された第３の設定時間、前記制御部が前記指示部へ前記応答信号を出力せず、前記位置判定部は前記応答信号を前記第３の設定時間受信しないことにより前記指示部が前記屋外にあると判定した状態を維持できてもよい。このような態様とすれば、指示部を携帯して外出していた居住者が帰宅した際、屋外にあると位置判定部が判定した状態を維持している指示部を用いて異常検知部の停止を指示する前に、指示部が屋内にあると位置判定部により判定されることによって、指示部に異常検知部の停止を指示できなくなることを防止できる。
【００１１】
本発明の形態は、警備システムの形態に限るものではなく、例えば、警備システムを管理する管理装置の他、警備システムや管理装置の機能をコンピュータに実現させるためのプログラムなどの種々の形態に適用することも可能である。また、本発明は、前述の形態に何ら限定されるものではなく、本発明の趣旨を逸脱しない範囲内において様々な形態で実施し得ることは勿論である。
【図面の簡単な説明】
【００１２】
【図１】警備システムについて示した説明図である。
【図２】位置判定部が実行する判定処理を示すフローである。
【図３】位置判定部が実行する判定処理を示すフローである。
【図４】位置判定部が実行する判定処理を示すフローである。
【図５】リモコンが実行する指示処理を示すフローである。
【図６】リモコンが実行する指示処理を示すフローである。
【図７】リモコンが実行する指示処理を示すフローである。
【図８】リモコンが実行する指示処理を示すフローである。
【図９】リモコンが実行する指示処理を示すフローである。
【図１０】リモコンが実行する指示処理を示すフローである。
【図１１】他の実施形態における位置判定部が実行する判定処理を示すフローである。
【図１２】他の実施形態における位置判定部が実行する判定処理を示すフローである。
【発明を実施するための形態】
【００１３】
Ａ．第１実施形態：
図１は、本実施形態における警備システム１０について示した説明図である。警備システム１０は、住居等の家屋における屋内の異常を検出して報知などの対処を行う、いわゆるホームセキュリティシステムである。警備システム１０は、警備装置１００と、リモコン２００とを備える。本実施形態では、警備システム１０は、警備装置１００を住居等の家屋における屋内に設置する態様である。他の実施形態では、警備システム１０は、事業所および倉庫などに設置されていてもよい。
【００１４】
警備装置１００は、住居における屋内に設置され、その屋内において異常が発生していないかどうか警備する装置である。本実施形態でいう異常には、侵入者による屋内への不法な侵入、火災およびガス漏れが含まれる。警備装置１００は、警備制御部１１０と、通信部１２０と、異常検知部１３０とを備える。
【００１５】
警備制御部１１０は、屋内における異常を検知する各要素の稼動を全体として制御する。本実施形態では、警備制御部１１０は、異常検知部１３０の稼動および停止を制御する。本実施形態では、警備制御部１１０が制御する各要素には、窓の開閉を検出する窓開閉センサ、窓への振動によって窓の破壊を検出する窓破壊センサ、火災を検出する火災センサおよびガス漏れを検知するガス漏れセンサなどが含まれる。
【００１６】
通信部１２０は、警備装置１００がリモコン２００と通信するためのインタフェースである。本実施形態では、通信部１２０は、無線ＬＡＮを介して、リモコン２００と通信する。他の実施形態では、他の無線通信を用いてもよい。
【００１７】
異常検知部１３０は、屋内の異常を検知する。本実施形態では、異常検知部１３０が検知する屋内の異常は、侵入者による屋内への不法な侵入である。本実施形態では、警備制御部１１０を介したリモコン２００からの指示に基づいて、異常検知部１３０の稼動および停止は切り換えられる。
【００１８】
リモコン２００は、警備装置１００と通信できるとともに警備装置１００に異常検知部１３０の稼動および停止を指示できる。本実施形態では、１台の警備装置１００に対して３台のリモコン２００が備えられている。他の実施形態では、１台の警備装置１００に対して３台より多いリモコン２００が備えられていてもよいし、３台より少ないリモコン２００が備えられていてもよい。リモコン２００は、制御部２１０と、通信部２２０と、入力部２３０と、位置判定部２４０と、状態表示部２５０と、振動検知部２６０とを備える。
【００１９】
制御部２１０は、リモコン２００を構成する各要素の稼動を全体として制御する。通信部２２０は、リモコン２００が警備装置１００と通信するためのインタフェースである。
【００２０】
入力部２３０は、押下可能に構成された問合ボタン部２３２と指示ボタン部２３４とを備える。本実施形態では、問合ボタン部２３２が押し下げられることによって、制御部２１０は、異常検知部１３０が稼動しているか停止しているかを警備装置１００へ問い合わせる信号を出力する。警備装置１００は、その信号を受信すると、異常検知部１３０が稼動しているか停止しているかを示す信号をリモコン２００へ出力する。本実施形態では、指示ボタン部２３４が押し下げられることによって、警備装置１００に異常検知部１３０の稼動および停止を指示することができる。
【００２１】
本実施形態では、入力部２３０において、問合ボタン部２３２と、指示ボタン部２３４とは、別のボタン部である。他の実施形態では、問合ボタン部２３２と、指示ボタン部２３４とは、同一のボタン部であってもよい。その場合、警備装置１００との通信内容に応じて、ボタン部の機能は切り換えられる態様である。
【００２２】
位置判定部２４０は、リモコン２００が屋内および屋外のいずれにあるかを判定する。本実施形態では、位置判定部２４０は、警備装置１００との通信に基づいて、リモコン２００が屋内および屋外のいずれにあるかを判定する。
【００２３】
本実施形態では、屋内とは、警備装置１００が設置された住居の内側のことであり、屋外とは、警備装置１００が設置された住居における屋内の外側のことであり、その警備装置１００が設置された住居とは別の建物における屋内は、屋外に含まれる。他の実施形態では、警備装置１００が設置された住居における屋内とは、その住居が建てられた敷地内のことであり、屋外は、その敷地の外側のことであってもよい。
【００２４】
本実施形態では、リモコン２００が屋内にあると位置判定部２４０が最後に判定した場合、リモコン２００は、異常検知部１３０の稼動を警備装置１００に指示できる。ここでいう「位置判定部２４０が最後に判定した場合」とは、位置判定部がその判定以降、指示部としてのリモコンが屋内および屋外のいずれにあるかを判定していない場合のことである。このため、屋内にあると位置判定部２４０が最後に判定したリモコン２００を用いて、異常検知部１３０の稼動を警備装置１００に指示できる。
【００２５】
本実施形態では、リモコン２００が屋内にあると位置判定部２４０が最後に判定した場合であって、かつ、リモコン２００が異常検知部１３０の稼動を警備装置１００に指示してからあらかじめ設定された設定時間を経過している場合、屋内にあると位置判定部２４０が最後に判定したリモコン２００は、異常検知部１３０の停止を警備装置１００に指示できない。このため、侵入者が屋内に残されたリモコン２００を操作して異常検知部１３０の停止を指示することを防止できる。本実施形態では、設定時間は、５分間である。他の実施形態では、設定時間は、５分間より長くてもよいし、５分間より短くてもよい。
【００２６】
本実施形態では、リモコン２００が屋外にあると位置判定部２４０が最後に判定した場合、リモコン２００は、異常検知部１３０の稼動および停止を警備装置１００に指示できる。このため、屋外にあると位置判定部２４０が最後に判定したリモコン２００を用いて、異常検知部１３０の稼動および停止を警備装置１００に指示できる。例えば、警備装置１００が設置された家屋に住む居住者が、異常検知部１３０を稼動することを忘れて屋外へ出た場合、携帯しているリモコン２００を用いて、屋外から異常検知部１３０の稼動を指示できる。
【００２７】
状態表示部２５０は、警備装置１００がリモコン２００へ出力する異常検知部１３０が稼動しているか停止しているかを示す信号に基づいて、異常検知部１３０の状態を表示する。本実施形態では、状態表示部２５０は、異常検知部１３０が稼動しているか停止しているかに基づいて発光するＬＥＤである。本実施形態では、状態表示部２５０は、異常検知部１３０が稼動している場合は赤色に、異常検知部１３０が停止している場合は緑色に発光する。
【００２８】
振動検知部２６０は、リモコン２００における振動を検知する。振動検知部２６０は、振動を検知した場合、制御部２１０を介して、振動を検知したことを示す振動検知信号を警備装置１００に出力する。本実施形態では、振動検知部２６０は、リモコン２００への振動が１５秒間継続したことによって、振動を検知したと判定する。他の実施形態では、振動検知部２６０は、リモコン２００への振動が１５秒間より短い時間継続したことによって、振動を検知したと判定してもよいし、リモコン２００への振動が１５秒間より長い時間継続したことによって、振動を検知したと判定してもよい。
【００２９】
また、振動検知部２６０は、継続した振動を検知しなくなった場合、制御部２１０を介して、継続した振動を検知しなくなったことを示す振動停止信号を警備装置１００に出力する。本実施形態では、「継続した振動を検知しなくなったこと」とは、振動を検知したと判定してから３０秒間続いた振動の検知が停止することである。他の実施形態では、「継続した振動を検知しなくなったこと」とは、振動を検知したと判定してから３０秒間より長い時間続いた振動の検知が停止することであってもよいし、振動を検知したと判定してから３０秒間より短い時間続いた振動の検知が停止することであってもよい。
【００３０】
本実施形態では、振動検知信号の閾値（以下、閾値１とする。）の大きさは以下のように定められている。警備装置１００が受信した振動検知信号が、屋内から出力されたものである場合、警備装置１００は、振動検知信号の強さが閾値１を超えていると判定する。警備装置１００が受信した振動検知信号が、屋外から出力されたものである場合、警備装置１００は、振動検知信号の強さが閾値１を超えていないと判定する。
【００３１】
本実施形態では、振動停止信号の閾値（以下、閾値２とする。）の大きさは以下のように定められている。警備装置１００が受信した振動停止信号が、屋内から出力されたものである場合、警備装置１００は、振動停止信号の強さが閾値２を超えていると判定する。警備装置１００が受信した振動停止信号が、屋外から出力されたものである場合、警備装置１００は、振動停止信号の強さが閾値２を超えていないと判定する。
【００３２】
本実施形態では、リモコン２００が屋内にあると位置判定部２４０が最後に判定した場合であって、かつ、警備装置１００が受信した振動検知信号の強さが閾値１を超えている場合、警備装置１００はリモコン２００へ応答信号を出力し、位置判定部２４０は、制御部２１０を介して、応答信号を受信することによりリモコン２００が屋内にあると判定した状態を維持する。このため、屋内にあると位置判定部２４０が最後に判定したリモコン２００が振動を検知しても、リモコン２００が屋内にある場合には、位置判定部２４０は、リモコン２００が屋内にあると判定した状態を維持できる。
【００３３】
また、本実施形態では、リモコン２００が屋内にあると位置判定部２４０が最後に判定した場合であって、かつ、警備装置１００が受信した振動検知信号の強さが閾値１を超えていない場合、振動検知信号の受信後、あらかじめ設定された設定時間、警備装置１００はリモコン２００へ応答信号を出力せず、位置判定部２４０は応答信号をあらかじめ設定された設定時間受信しないことによりリモコン２００が屋外にあると判定する。このため、屋内にあると位置判定部２４０が最後に判定したリモコン２００が振動を検知し、リモコン２００が屋外にある場合には、位置判定部２４０は、リモコン２００が屋外にあると判定できる。本実施形態では、設定時間は、１分間である。他の実施形態では、１分間より長くてもよいし、１分間より短くてもよい。
【００３４】
本実施形態では、リモコン２００が屋外にあると位置判定部２４０が最後に判定した場合であって、かつ、警備装置１００が受信した振動停止信号の強さが閾値２を超えている場合、警備装置１００はリモコン２００へ応答信号を出力し、位置判定部２４０は、制御部２１０を介して、応答信号を受信することによりリモコン２００が屋内にあると判定する。このため、屋外にあると位置判定部２４０が最後に判定したリモコン２００が継続した振動を検知しなくなり、リモコン２００が屋内にある場合には、位置判定部２４０は、リモコン２００が屋内にあると判定できる。
【００３５】
また、本実施形態では、リモコン２００が屋外にあると位置判定部２４０が最後に判定した場合であって、かつ、警備装置１００が受信した振動停止信号の強さが閾値２を超えていない場合、振動停止信号の受信後、あらかじめ設定された設定時間、警備装置１００はリモコン２００へ応答信号を出力せず、位置判定部２４０は応答信号をあらかじめ設定された設定時間受信しないことによりリモコン２００が屋外にあると判定した状態を維持する。このため、屋外にあると位置判定部２４０が最後に判定したリモコン２００が継続した振動を検知しなくなり、リモコン２００が屋外にある場合には、位置判定部２４０は、リモコン２００が屋外にあると判定した状態を維持できる。本実施形態では、設定時間は、１分間である。他の実施形態では、１分間より長くてもよいし、１分間より短くてもよい。
【００３６】
図２は、位置判定部２４０が実行する判定処理を示すフローである。図２におけるフローは、リモコン２００が屋内から屋外に移動している際に定期的に実行される。例えば、警備装置１００が設置された家屋に住む居住者が、リモコン２００を携帯して外出する際に実行される。
【００３７】
屋内にあると位置判定部２４０により最後に判定されたリモコン２００において、振動検知部２６０は、振動を検知すると、制御部２１０を介して、振動検知信号を警備装置１００に出力する（ステップＳ１００）。警備装置１００が受信した振動検知信号の強さが閾値１を超えているため（ステップＳ１０５）、警備装置１００はリモコン２００へ応答信号を出力する（ステップＳ１１０）。位置判定部２４０は、制御部２１０を介して、応答信号を受信することによりリモコン２００が屋内にあると判定した状態を維持する（ステップＳ１１５）。このため、屋内にあると位置判定部２４０が最後に判定したリモコン２００が振動を検知しても、リモコン２００が屋内にある場合には、位置判定部２４０は、リモコン２００が屋内にあると判定した状態を維持できる。
【００３８】
リモコン２００が屋内にあると位置判定部２４０が判定した状態を維持しているとき（ステップＳ１１５）、振動検知部２６０は、振動を検知すると、制御部２１０を介して、振動検知信号を警備装置１００に出力する（ステップＳ１２０）。警備装置１００が受信した振動検知信号の強さが閾値１を超えていないため（ステップＳ１２５）、振動検知信号の受信後１分間、警備装置１００はリモコン２００へ応答信号を出力しない（ステップＳ１３０）。位置判定部２４０は、応答信号を１分間受信しないことによりリモコン２００が屋外にあると判定する（ステップＳ１３５）。このため、屋内にあると位置判定部２４０が最後に判定したリモコン２００が振動を検知し、リモコン２００が屋外にある場合には、位置判定部２４０は、リモコン２００が屋外にあると判定できる。
【００３９】
図３は、位置判定部２４０が実行する判定処理を示すフローである。図３におけるフローは、屋外にあると位置判定部２４０により最後に判定されたリモコン２００への継続した振動が屋外において検知されなくなった際に実行される。例えば、警備装置１００が設置された家屋に住む居住者が、携帯していたリモコン２００を外出先で静置した際に実行される。
【００４０】
屋外にあると位置判定部２４０により最後に判定されたリモコン２００において、振動検知部２６０は、継続した振動が検知されなくなると、制御部２１０を介して、振動停止信号を警備制御部１１０に出力する（ステップＳ２００）。警備装置１００が受信した振動停止信号の強さが閾値２を超えていないため（ステップＳ２０５）、振動検知信号の受信後１分間、警備装置１００はリモコン２００へ応答信号を出力しない（ステップＳ２１０）。位置判定部２４０は、応答信号を１分間受信しないことによりリモコン２００が屋外にあると判定した状態を維持する（ステップＳ２１５）。このため、屋外にあると位置判定部２４０が最後に判定したリモコン２００が継続した振動を検知しなくなり、リモコン２００が屋外にある場合には、位置判定部２４０は、リモコン２００が屋外にあると判定した状態を維持できる。
【００４１】
図４は、位置判定部２４０が実行する判定処理を示すフローである。図４におけるフローは、屋外にあると位置判定部２４０により最後に判定されたリモコン２００への継続した振動が屋内において検知されなくなった際に実行される。例えば、警備装置１００が設置された家屋に住む居住者が、リモコン２００を携帯して外出していた先から帰宅した際に実行される。
【００４２】
屋外にあると位置判定部２４０により最後に判定されたリモコン２００において、振動検知部２６０は、継続した振動が検知されなくなると、制御部２１０を介して、振動停止信号を警備装置１００に出力する（ステップＳ２２０）。警備装置１００が受信した振動停止信号の強さが閾値２を超えているため（ステップＳ２２５）、警備装置１００はリモコン２００へ応答信号を出力する（ステップＳ２３０）。位置判定部２４０は、制御部２１０を介して、応答信号を受信することによりリモコン２００が屋内にあると判定する（ステップＳ２３５）。このため、屋外にあると位置判定部２４０が最後に判定したリモコン２００が継続した振動を検知しなくなり、リモコン２００が屋内にある場合には、位置判定部２４０は、リモコン２００が屋内にあると判定できる。
【００４３】
警備システム１０は、図２、図３、図４において説明した判定処理を行うため、振動検知部２６０の検知状態に基づいてリモコン２００から警備装置１００へ出力される信号の強さに応じて、位置判定部２４０は、リモコン２００が屋内および屋外のいずれにあるかを判定できる。
【００４４】
図５は、リモコン２００が実行する指示処理を示すフローである。図５におけるフローは、屋内にあると位置判定部２４０により最後に判定されたリモコン２００が停止している異常検知部１３０の稼動を警備装置１００に指示する際に実行される。
【００４５】
屋内にあると位置判定部２４０により最後に判定されたリモコン２００において、問合ボタン部２３２が押し下げられることによって、リモコン２００は、異常検知部１３０が稼動しているか停止しているかを警備装置１００へ問い合わせる信号を出力する（ステップＳ３００）。警備装置１００は、その信号を受信すると、異常検知部１３０が停止していることを示す信号をリモコン２００へ出力する（ステップＳ３１０）。
【００４６】
異常検知部１３０が停止していることを示す信号を受信した後（ステップＳ３１０）、リモコン２００は、指示ボタン部２３４が押し下げられることによって、警備装置１００に異常検知部１３０の稼動を指示する（ステップＳ３２０）。異常検知部１３０の稼動を指示された警備装置１００は、異常検知部１３０を稼動させる（ステップＳ３２５）。異常検知部１３０を稼動させた後（ステップＳ３２５）、警備装置１００は、異常検知部１３０が稼動したことを示す信号をリモコン２００へ出力する（ステップＳ３３０）。このため、屋内にあると位置判定部２４０が最後に判定したリモコン２００を用いて、異常検知部１３０の稼動を警備装置１００に指示できる。
【００４７】
図６は、リモコン２００が実行する指示処理を示すフローである。図６におけるフローは、屋外にあると位置判定部２４０により最後に判定されたリモコン２００が停止している異常検知部１３０の稼動を警備制御部１１０に指示する際に実行される。
【００４８】
屋外にあると位置判定部２４０により最後に判定されたリモコン２００において、問合ボタン部２３２が押し下げられることによって、リモコン２００は、異常検知部１３０が稼動しているか停止しているかを警備装置１００へ問い合わせる信号を出力する（ステップＳ３４０）。警備装置１００は、その信号を受信すると、異常検知部１３０が停止していることを示す信号をリモコン２００へ出力する（ステップＳ３５０）。
【００４９】
異常検知部１３０が停止していることを示す信号を受信した後（ステップＳ３５０）、リモコン２００は、指示ボタン部２３４が押し下げられることによって、警備装置１００に異常検知部１３０の稼動を指示する（ステップＳ３６０）。異常検知部１３０の稼動を指示された警備装置１００は、異常検知部１３０を稼動させる（ステップＳ３６５）。異常検知部１３０を稼動させた後（ステップＳ３６５）、警備装置１００は、異常検知部１３０が稼動したことを示す信号をリモコン２００へ出力する（ステップＳ３７０）。このため、屋外にあると位置判定部２４０が最後に判定したリモコン２００を用いて、異常検知部１３０の稼動を警備装置１００に指示できる。
【００５０】
図７は、リモコン２００が実行する指示処理を示すフローである。図７におけるフローは、屋内にあると位置判定部２４０により最後に判定されたリモコン２００が稼動している異常検知部１３０の停止を警備装置１００に指示しようとする際に実行される。図７におけるフローは、リモコン２００が停止している異常検知部１３０の稼動を警備装置１００に指示してから５分間経過したのちに実行されるものとする。
【００５１】
屋内にあると位置判定部２４０により最後に判定されたリモコン２００において、問合ボタン部２３２が押し下げられることによって、リモコン２００は、異常検知部１３０が稼動しているか停止しているかを警備装置１００へ問い合わせる信号を出力する（ステップＳ４００）。警備装置１００は、その信号を受信すると、異常検知部１３０が稼動していることを示す信号をリモコン２００へ出力する（ステップＳ４１０）。
【００５２】
異常検知部１３０が稼動していることを示す信号を受信した後（ステップＳ４１０）、リモコン２００は、指示ボタン部２３４が押し下げられることによって、警備装置１００に異常検知部１３０の稼動を指示しようとするが、リモコン２００は、異常検知部１３０の稼動を指示することができない（ステップＳ４２０）。これは、位置判定部２４０によりリモコン２００は屋内にあると最後に判定されたとともに、リモコン２００が停止している異常検知部１３０の稼動を警備装置１００に指示してから５分間経過しているためである。異常検知部１３０の停止を指示されない警備装置１００は、異常検知部１３０を稼動させたままにする（ステップＳ４２５）。このため、侵入者が屋内に残されたリモコン２００を操作して異常検知部１３０の停止を指示することを防止できる。
【００５３】
図８は、リモコン２００が実行する指示処理を示すフローである。図８におけるフローは、屋外にあると位置判定部２４０により最後に判定されたリモコン２００が稼動している異常検知部１３０の停止を警備装置１００に指示する際に実行される。
【００５４】
屋外にあると位置判定部２４０により最後に判定されたリモコン２００において、問合ボタン部２３２が押し下げられることによって、リモコン２００は、異常検知部１３０が稼動しているか停止しているかを警備装置１００へ問い合わせる信号を出力する（ステップＳ４３０）。警備装置１００は、その信号を受信すると、異常検知部１３０が稼動していることを示す信号をリモコン２００へ出力する（ステップＳ４４０）。
【００５５】
異常検知部１３０が稼動していることを示す信号を受信した後（ステップＳ４４０）、リモコン２００は、指示ボタン部２３４が押し下げられることによって、警備装置１００に異常検知部１３０の停止を指示する（ステップＳ４５０）。異常検知部１３０の停止を指示された警備装置１００は、異常検知部１３０を停止させる（ステップＳ４５５）。異常検知部１３０を停止させた後（ステップＳ４５５）、警備装置１００は、異常検知部１３０が停止したことを示す信号をリモコン２００へ出力する（ステップＳ４６０）。このため、屋外にあると位置判定部２４０が最後に判定したリモコン２００を用いて、異常検知部１３０の停止を警備装置１００に指示できる。
【００５６】
図９は、リモコン２００が実行する指示処理を示すフローである。図９におけるフローは、屋内にあると位置判定部２４０により最後に判定されたリモコン２００が停止している異常検知部１３０の稼動を警備装置１００に指示してから５分間経過する前に、稼動している異常検知部１３０の停止をリモコン２００が警備装置１００に再度指示する際に実行される。例えば、警備装置１００が設置された家屋に住む居住者が外出する際に、屋内にあると位置判定部２４０により最後に判定されたリモコン２００を用いて異常検知部１３０の稼動を一旦指示したものの、忘れ物を取りに行く等の事情によりすぐに異常検知部１３０を停止する際に実行される。
【００５７】
屋内にあると位置判定部２４０により最後に判定されたリモコン２００において、問合ボタン部２３２が押し下げられることによって、リモコン２００は、異常検知部１３０が稼動しているか停止しているかを警備装置１００へ問い合わせる信号を出力する（ステップＳ５００）。警備装置１００は、その信号を受信すると、異常検知部１３０が停止していることを示す信号をリモコン２００へ出力する（ステップＳ５０５）。
【００５８】
異常検知部１３０が停止していることを示す信号を受信した後（ステップＳ５０５）、リモコン２００は、指示ボタン部２３４が押し下げられることによって、警備装置１００に異常検知部１３０の稼動を指示する（ステップＳ５１０）。異常検知部１３０の稼動を指示された警備装置１００は、異常検知部１３０を稼動させる（ステップＳ５１５）。異常検知部１３０を稼動させた後（ステップＳ５１５）、警備装置１００は、異常検知部１３０が稼動したことを示す信号をリモコン２００へ出力する（ステップＳ５２０）。
【００５９】
異常検知部１３０が稼動したことを示す信号を受信した後（ステップＳ５２０）、異常検知部１３０の稼動を警備装置１００に指示してから５分間経過する前に、リモコン２００は、指示ボタン部２３４が押し下げられることによって、リモコン２００が稼動している異常検知部１３０の停止を警備装置１００に再度指示する（ステップＳ５２５）。異常検知部１３０の停止を指示された警備装置１００は、異常検知部１３０を停止させる（ステップＳ５３０）。異常検知部１３０を停止させた後（ステップＳ５３０）、警備装置１００は、異常検知部１３０が停止したことを示す信号をリモコン２００へ出力する（ステップＳ５３５）。
【００６０】
警備システム１０は、図９において説明した指示処理を行うため、警備装置１００が設置された家屋に住む居住者が外出する際に、屋内にあると位置判定部２４０により最後に判定されたリモコン２００を用いて異常検知部１３０の稼動を一旦指示したものの、忘れ物を取りに行く等の事情によりすぐに異常検知部１３０を停止したい場合に、屋内にあると位置判定部２４０により最後に判定されたリモコン２００を用いて異常検知部１３０の停止を指示できる。
【００６１】
図１０は、リモコン２００が実行する指示処理を示すフローである。図１０におけるフローは、屋内にあると位置判定部２４０により最後に判定されたリモコン２００が停止している異常検知部１３０の稼動を警備装置１００に指示してから５分間経過したのちに、稼動している異常検知部１３０の停止をリモコン２００が警備装置１００に再度指示しようとする際に実行される。
【００６２】
屋内にあると位置判定部２４０により最後に判定されたリモコン２００において、問合ボタン部２３２が押し下げられることによって、リモコン２００は、異常検知部１３０が稼動しているか停止しているかを警備装置１００へ問い合わせる信号を出力する（ステップＳ５４０）。警備装置１００は、その信号を受信すると、異常検知部１３０が停止していることを示す信号をリモコン２００へ出力する（ステップＳ５４５）。
【００６３】
異常検知部１３０が停止していることを示す信号を受信した後（ステップＳ５４５）、リモコン２００は、指示ボタン部２３４が押し下げられることによって、警備装置１００に異常検知部１３０の稼動を指示する（ステップＳ５５０）。異常検知部１３０の稼動を指示された警備装置１００は、異常検知部１３０を稼動させる（ステップＳ５５５）。異常検知部１３０を稼動させた後（ステップＳ５５５）、警備装置１００は、異常検知部１３０が稼動したことを示す信号をリモコン２００へ出力する（ステップＳ５６０）。
【００６４】
異常検知部１３０が稼動したことを示す信号を受信した後（ステップＳ５６０）、異常検知部１３０の稼動を警備装置１００に指示してから５分間経過した後に、リモコン２００は、指示ボタン部２３４が押し下げられることによって、リモコン２００が稼動している異常検知部１３０の停止を警備装置１００に再度指示しようとする。しかし、異常検知部１３０の稼動を警備装置１００に指示してから５分間経過しているため、リモコン２００は、稼動している異常検知部１３０の停止を警備装置１００に指示することができない（ステップＳ５６５）。異常検知部１３０の停止を指示されない警備装置１００は、異常検知部１３０を稼動させたままにする（ステップＳ５７０）。
【００６５】
以上説明した実施形態によれば、異常検知部１３０の稼動を警備装置１００に指示してから５分間経過したのちに、屋内にあると位置判定部２４０により最後に判定されたリモコン２００を操作して、異常検知部１３０の停止を指示するができない。そのため、侵入者が屋内に残されたリモコン２００を操作して異常検知部１３０の停止を指示することを防止できる。また、屋外にあると位置判定部２４０により最後に判定されたリモコン２００を操作して、異常検知部１３０の稼動および停止を指示できる。
【００６６】
Ｂ．第２実施例：
図１１は、他の実施形態である警備システム１０ａにおける位置判定部２４０が実行する判定処理を示すフローである。警備システム１０ａは、上述の実施形態における警備システム１０の構成と同様であるが、以下の処理を行う点で、警備システム１０と異なる。
【００６７】
すなわち、リモコン２００が屋外にあると位置判定部２４０が最後に判定した場合であって、かつ、警備装置１００が受信した振動停止信号の強さが閾値２を超えているとともに異常検知部１３０が停止している場合、警備装置１００はリモコン２００へ応答信号を出力し、位置判定部２４０は、制御部２１０を介して、応答信号を受信することによりリモコン２００が屋内にあると判定する。
【００６８】
また、リモコン２００が屋外にあると位置判定部２４０が最後に判定した場合であって、かつ、警備装置１００が受信した振動停止信号の強さが閾値２を超えているとともに異常検知部１３０が稼動している場合、振動停止信号を受信後あらかじめ設定された設定時間、警備装置１００はリモコン２００へ応答信号を出力せず、位置判定部２４０は、応答信号をあらかじめ設定された設定時間受信しないことによりリモコン２００が屋外にあると判定した状態を維持する。本実施形態では、設定時間は、１分間である。他の実施形態では、１分間より長くてもよいし、１分間より短くてもよい。
【００６９】
図１１におけるフローは、他の実施形態である警備システム１０ａの異常検知部１３０が稼動している場合に、屋外にあると位置判定部２４０により最後に判定されたリモコン２００への継続した振動が屋内において検知されなくなった際に実行される。例えば、警備装置１００が設置された家屋に住む居住者が、リモコン２００を携帯して外出していた先から帰宅した際に実行される。
【００７０】
屋外にあると位置判定部２４０により最後に判定されたリモコン２００において、振動検知部２６０は、継続した振動が検知されなくなると、制御部２１０を介して、振動停止信号を警備装置１００に出力する（ステップＳ６００）。警備装置１００が受信した振動停止信号の強さが閾値２を超えているとともに異常検知部１３０が稼動しているため（ステップＳ６０５）、振動停止信号を受信後１分間、警備制御部１１０はリモコン２００へ応答信号は出力せず（ステップＳ６１０）、位置判定部２４０は応答信号を１分間受信しないことによりリモコン２００が屋外にあると判定した状態を維持する（ステップＳ６１５）。
【００７１】
警備システム１０ａは、図１１において説明した判定処理を行うため、警備装置１００が設置された家屋に住む居住者が、リモコン２００を携帯して外出していた先から帰宅した際、屋外にあると位置判定部２４０により最後に判定されたリモコン２００を用いて異常検知部１３０の停止を指示する前に、リモコン２００が屋内にあると位置判定部２４０により判定されることによって、リモコン２００に異常検知部１３０の停止を指示できなくなることを防止できる。
【００７２】
図１２は、他の実施形態である警備システム１０ａにおける位置判定部２４０が実行する判定処理を示すフローである。図１２におけるフローは、他の実施形態である警備システム１０ａの異常検知部１３０が停止している場合に、屋外にあると位置判定部２４０により最後に判定されたリモコン２００への継続した振動が屋内において検知されなくなった際に実行される。
【００７３】
屋外にあると位置判定部２４０により最後に判定されたリモコン２００において、振動検知部２６０は、継続した振動が検知されなくなると、制御部２１０を介して、振動停止信号を警備装置１００に出力する（ステップＳ６２０）。警備装置１００が受信した振動停止信号の強さが閾値２を超えているとともに異常検知部１３０が停止しているため（ステップＳ６２５）、警備装置１００はリモコン２００へ応答信号を出力する（ステップＳ６３０）。位置判定部２４０は、制御部２１０を介して、応答信号を受信することによりリモコン２００が屋内にあると判定する（ステップＳ６３５）。
【００７４】
Ｃ．変形例：
上記実施形態の警備システム１０では、リモコン２００が屋内にあると位置判定部２４０が最後に判定した場合であって、かつ、リモコン２００が異常検知部１３０の稼動を警備装置１００に指示してからあらかじめ設定された設定時間を経過している場合、屋内にあると位置判定部２４０が最後に判定したリモコン２００は、異常検知部１３０の停止を警備装置１００に指示できないとしていたが、本発明はこれに限られない。例えば、リモコン２００が屋内にあると位置判定部２４０が最後に判定した場合であって、かつ、リモコン２００が異常検知部１３０の稼動を警備装置１００に指示してからあらかじめ設定された設定時間（例えば、居住者が外出して帰宅するまでの時間）を経過していない場合、屋内にあると位置判定部２４０が最後に判定したリモコン２００は、異常検知部１３０の停止を警備装置１００に指示できないとしてもよい。
【００７５】
また、上記実施形態の警備システム１０では、振動検知部２６０の検知状態に基づいてリモコン２００から警備装置１００へ出力される信号の強さに応じて、位置判定部２４０は、リモコン２００が屋内および屋外のいずれにあるかを判定するとしていたが、本発明はこれに限られない。例えば、位置判定部２４０は、警備装置１００からの距離に応じて、リモコン２００が屋内および屋外のいずれにあるかを判定してもよい。
【００７６】
本発明は、上述の実施形態や実施例、変形例に限られるものではなく、その趣旨を逸脱しない範囲において種々の構成で実現することができる。例えば、発明の概要の欄に記載した各形態中の技術的特徴に対応する実施形態、実施例、変形例中の技術的特徴は、上述の課題の一部または全部を解決するために、あるいは、上述の効果の一部または全部を達成するために、適宜、差し替えや、組み合わせを行うことが可能である。また、その技術的特徴が本明細書中に必須なものとして説明されていなければ、適宜、削除することが可能である。
【符号の説明】
【００７７】
１０…警備システム
１０ａ…警備システム
１００…警備装置
１１０…警備制御部
１２０…通信部
１３０…異常検知部
２００…リモコン
２１０…制御部
２２０…通信部
２３０…入力部
２３２…問合ボタン部
２３４…指示ボタン部
２４０…位置判定部
２５０…状態表示部
２６０…振動検知部
【図１】
2016177549.tif 000003
【図２】
2016177549.tif 000004
【図３】
2016177549.tif 000005
【図４】
2016177549.tif 000006
【図５】
2016177549.tif 000007
【図６】
2016177549.tif 000008
【図７】
2016177549.tif 000009
【図８】
2016177549.tif 000010
【図９】
2016177549.tif 000011
【図１０】
2016177549.tif 000012
【図１１】
2016177549.tif 000013
【図１２】
2016177549.tif 000014